(57)【要約】      （修正有）【課題】ベランダ等の外気エリアとなる開放居住空間の空気を清浄化し、花粉等、汚染物質を含む外気の侵入を遮断できるようにする。【解決手段】住戸１の室内と出入口５から行き来でき少なくとも１面に開口部を有する開放居住空間に対し、外気を給気ガラリ１１を通してファンユニット１２により取り込み、給気した外気を膜状空気吹き出し口１４より開口部を塞ぐように膜状に噴射させると共に、給気した外気をフィルタユニット１３を通して清浄化し、清浄化した空気を清浄空気吹き出し口１５より開放居住空間に給気する。【選択図】図１
2010078306.tif 000002
【特許請求の範囲】
【請求項１】
住戸の室内と出入口から行き来でき少なくとも１面に開口部を有する開放居住空間の空気清浄化方法であって、
外気を給気ガラリを通してファンにより取り込み、
前記給気した外気を膜状空気吹き出し口より前記開口部を塞ぐように膜状に噴射させると共に、
前記給気した外気をフィルタを通して清浄化し、
前記清浄化した空気を清浄空気吹き出し口より前記開放居住空間に給気する
ことを特徴とする開放居住空間の空気清浄化方法。
【請求項２】
前記清浄空気吹き出し口より給気する前記清浄化した空気の風量を、可変風量装置により前記室内の換気設備の動作状態に応じて制御することを特徴とする請求項１に記載の開放居住空間の空気清浄化方法。
【請求項３】
住戸の室内と出入口から行き来でき少なくとも１面に開口部を有する開放居住空間の空気清浄化装置であって、
外気を取り込む給気ガラリ及びファンと、
前記給気した外気を前記開口部を塞ぐように膜状に噴射させる膜状空気吹き出し口と、
前記給気した外気を清浄化するフィルタと、
前記清浄化した空気を前記開放居住空間に給気する清浄空気吹き出し口と
を備えたことを特徴とする開放居住空間の空気清浄化装置。
【請求項４】
前記フィルタと前記清浄空気吹き出し口との間に可変風量装置を備えるとともに、前記室内の換気設備の動作状態に応じて前記可変風量装置を制御する制御手段とを備えたことを特徴とする請求項３に記載の開放居住空間の空気清浄化装置。
【請求項５】
住戸の室内と出入口から行き来でき少なくとも１面に開口部を有する開放居住空間を有する住宅において、
外気を取り込む給気ガラリ及びファンと、
前記給気した外気を前記開口部を塞ぐように膜状に噴射させる膜状空気吹き出し口と、
前記給気した外気を清浄化するフィルタと、
前記清浄化した空気を前記開放居住空間に給気する清浄空気吹き出し口と
を備え、前記開放居住空間を清浄空気により陽圧にすることにより汚染物質を含む外気を遮断するようにしたことを特徴とする空気清浄化された開放居住空間を有する住宅。
【請求項６】
前記フィルタと前記清浄空気吹き出し口との間に可変風量装置を備えるとともに、前記室内の換気設備の動作状態に応じて前記可変風量装置を制御する制御手段とを備えたことを特徴とする請求項５に記載の空気清浄化された開放居住空間を有する住宅。
【発明の詳細な説明】
【技術分野】
【０００１】
本発明は、住戸の室内と出入口から行き来でき少なくとも１面に開口部を有する開放居住空間の空気清浄化方法及び装置並びに空気清浄化された開放居住空間を有する住宅に関する。
【背景技術】
【０００２】
近年、花粉症患者が増えている。花粉症は、代表的にはスギやヒノキの花粉、その他植物の花粉が鼻や目などの粘膜に接触することによって引き起こされ、発作性反復性のくしゃみ、鼻水、鼻づまり、目のかゆみなどの一連の症状が特徴的な症候群である。このような花粉症患者には、花粉の飛散期になると、住戸など居住空間内でも症状に悩まされる患者も多い。居住空間への花粉の侵入は、換気、洗濯物、外出着由来のものが多い。
【０００３】
例えば、玄関内に花粉等の有害物質が侵入するのを防止し、さらに玄関内に持ち込まれた花粉を効果的に除去するため、入口建具と屋内空間との間を仕切る建具により玄関を機密状態にして、その玄関内に清浄フィルターを介して外気を機械的に取り込み、玄関内の空気を屋外に機械的に送り出し、帽子、コート等の屋外着用装具類の収納部を備えるようにした住宅が提案されている（例えば、特許文献１参照）。また、シックハウス症、酸欠住宅、湿害を克服するため、断熱・機密化された建物の階段室の最上階の天井から取り込み、トイレ・洗面所・台所・浴室から常時排気する換気システム（例えば、特許文献２参照）、機密性の高い住宅の中央部から室内空気を外部に直接排気する排気装置と、外気と接する外壁に外気と室内を連通する給気孔を備えた住宅（例えば、特許文献３参照）が提案されている。
【先行技術文献】
【特許文献】
【０００４】
【特許文献１】特開２００７−９２３７１号公報
【特許文献２】特開２００２−９８３５４号公報
【特許文献３】特開平１１−２８７４９３号公報
【発明の概要】
【発明が解決しようとする課題】
【０００５】
しかし、主にマンションでは、洗濯物をベランダに干さざるを得ないのが現状であり、住戸の室内と遮断できない開放居住空間になっている。そのため、上記従来の技術のように、住宅内部の換気の工夫により玄関等を通して花粉等の侵入を遮断する対策を講じても、開放居住空間であるベランダ等の外気エリアから花粉等が居住空間へ侵入するのを防ぐことはできない。
【０００６】
また、マンションでは、第３種換気が主流であり、強制排気によるエアバランスの確保のため、いわゆる１００φ程度の換気レジスタから生外気が住宅に侵入する。第３種換気は、第１種〜第３種に分類された換気方式の１つであり、第１種換気は、給気及び排気共ファンを採用し、第２種換気は、給気にファンを、排気に排気口を採用し、第３種換気は、給気に給気口を、排気にファンを採用する方式である。
【課題を解決するための手段】
【０００７】
本発明は、上記課題を解決するものであって、ベランダ等の外気エリアとなる開放居住空間の空気を清浄化し、花粉等、汚染物質を含む外気の侵入を遮断できるようにするもの
である。
【０００８】
そのために本発明は、住戸の室内と出入口から行き来でき少なくとも１面に開口部を有する開放居住空間の空気清浄化方法であって、外気を給気ガラリを通してファンにより取り込み、前記給気した外気を膜状空気吹き出し口より前記開口部を塞ぐように膜状に噴射させると共に、前記給気した外気をフィルタを通して清浄化し、前記清浄化した空気を清浄空気吹き出し口より前記開放居住空間に給気することを特徴とし、前記清浄空気吹き出し口より給気する前記清浄化した空気の風量を、可変風量装置により前記室内の換気設備の動作状態に応じて制御することを特徴とする。
【０００９】
住戸の室内と出入口から行き来でき少なくとも１面に開口部を有する開放居住空間の空気清浄化装置であって、外気を取り込む給気ガラリ及びファンと、前記給気した外気を前記開口部を塞ぐように膜状に噴射させる膜状空気吹き出し口と、前記給気した外気を清浄化するフィルタと、前記清浄化した空気を前記開放居住空間に給気する清浄空気吹き出し口とを備えたことを特徴とし、前記フィルタと前記清浄空気吹き出し口との間に可変風量装置を備えるとともに、前記室内の換気設備の動作状態に応じて前記可変風量装置を制御する制御手段とを備えたことを特徴とする。
【００１０】
住戸の室内と出入口から行き来でき少なくとも１面に開口部を有する開放居住空間を有する住宅において、外気を取り込む給気ガラリ及びファンと、前記給気した外気を前記開口部を塞ぐように膜状に噴射させる膜状空気吹き出し口と、前記給気した外気を清浄化するフィルタと、前記清浄化した空気を前記開放居住空間に給気する清浄空気吹き出し口とを備え、前記開放居住空間を清浄空気により陽圧にすることにより汚染物質を含む外気を遮断するようにしたことを特徴とし、前記フィルタと前記清浄空気吹き出し口との間に可変風量装置を備えるとともに、前記室内の換気設備の動作状態に応じて前記可変風量装置を制御する制御手段とを備えたことを特徴とする。
【発明の効果】
【００１１】
本発明によれば、ベランダ等の開放居住空間を太陽のあたる住戸外で、かつ花粉その他の有害な粉塵の付着の心配の少ない空間として洗濯物を干すことができ、家庭内でも花粉症の症状に苦しめられる環境を大幅に改善することができる。また、住戸内の換気をすべて作動させても、ベランダ等の開放居住空間からの花粉等を含んだ生外気の侵入を遮断することができる。しかも、空気清浄化がベランダのみで完結するので、既存の集合住宅にも比較的容易に適用できる。さらに、室内の換気設備の動作状態に応じて風量を調節、制御できるので、より経済的かつ環境に配慮したシステムを提供することができる。
【図面の簡単な説明】
【００１２】
【図１】本発明に係る開放居住空間の空気清浄化装置の実施の形態を説明する平面図
【図２】本発明に係る開放居住空間の空気清浄化装置の実施の形態を説明する断面図
【図３】本発明に係る開放居住空間の空気清浄化装置の実施の形態を説明する立面図
【発明を実施するための形態】
【００１３】
以下、本発明の実施の形態を図面を参照しつつ説明する。図１は本発明に係る開放居住空間の空気清浄化装置の実施の形態を説明する平面図、図２は断面図、図３は立面図であり、１は住戸、２はベランダ、３は腰壁、４は隔壁、５は出入口、１１は給気ガラリ、１２はファンユニット、１３はフィルタユニット、１４は膜状空気吹き出し口、１５は清浄空気吹き出し口、１６は換気レジスタ、１７は床面、１８は天井面、２０は制御盤、２１はＶＡＶ、２２はＣＡＶ、２３は台所用換気扇、２４は浴室換気扇、２５はその他の換気扇、２６は便所換気扇を示す。
【００１４】
図１において、ベランダ２は、マンションなどの複数階からなる建物に設けられ、住戸１の室内からベランダ２へは、開閉戸が設けられている出入口５から自由に行き来できる。また、ベランダ２は、両側にそれぞれ隣接するベランダとの隔壁４が設けられ、正面に腰壁３が設けられている。したがって、ベランダ２には、２つの隔壁４の幅で図２、図３に示すように天井面１８と腰壁３との間の高さを有し、生外気と接する開放居住空間の開口部を形成している。
【００１５】
給気ガラリ１１は、外気を取り込むためのものであり、例えばサランネット程度が付属したプレフィルタを備えていてもよい。ファンユニット１２は、給気ガラリ１１から機械的に外気を吸引し取り込むファンを有するものである。フィルタユニット１３は、給気ガラリ１１からファンユニット１２により給気した外気を清浄化するＨＥＰＡフィルタなどの高性能フィルタを有するものである。給気ガラリ１１からファンユニット１２により取り込まれた外気は、フィルタユニット１３と膜状空気吹き出し口１４との２系統に分岐されて送気される。
【００１６】
膜状空気吹き出し口１４は、風向調整ベーン付の線状の給気口であり、給気ガラリ１１からファンユニット１２により取り込んだ外気を膜状に噴射するものである。この膜状噴射により、ベランダ２の天井面１８に近い、腰壁３の上方からエアカーテンでベランダ２の開放居住空間の開口部を塞ぐようにして生外気の侵入を遮断している。膜状空気吹き出し口１４の噴射空気の風速は、階高などにより２〜２０ｍ／ｓｅｃとなるように設定可能で、その角度は、直下に対して０〜３０度の範囲の傾きに調整可能である。
【００１７】
清浄空気吹き出し口１５は、複数の吹き出し口からフィルタユニット１３を通して清浄化された空気をベランダ２の開放居住空間に給気するものである。吹き出し風量は、対象居住空間（住戸１の室内）の第３種換気の風量（レジストフードファン、トイレファン、風呂換気など）の総和より、ベランダ２のサイズ等に応じ１００〜１０００ｍ3 ／ｈ程度大きく設定する。これによりベランダ２の開放居住空間全体を清浄空気により陽圧にし、隣接住戸のベランダ等からの花粉等の侵入を遮断（緩和）することができる。
【００１８】
換気レジスタ１６は、住戸１の室内とベランダ２の開放居住空間との間に設けられ換気するものであり、ベランダ２の開放居住空間全体を清浄空気により陽圧にすることにより、ベランダ等から室内への花粉等の侵入を遮断（緩和）することができる。
【００１９】
このように本実施形態では、生外気が給気ガラリ１１からファンユニット１２を通して２系統に分けて給気される。そのうち、第１の系統は、ベランダ２の腰壁３の上方の天井部から膜状空気吹き出し口１４を通して膜状に噴射し開放居住空間の開口部をエアカーテンで塞ぐようにする系統であり、第２の系統は、フィルタユニット１３により清浄化してベランダ２の上方から開放居住空間に清浄空気吹き出し口１５を通して清浄空気を給気する系統である。
【００２０】
さらに、本実施形態では、清浄空気吹き出し口１５を通して清浄空気を給気する第２の系統にＶＡＶ（Ｖariable Ａir  Ｖolume:可変風量装置）２１、及び膜状空気吹き出し口１４を通して膜状に生外気を噴射する第１の系統に、ＣＡＶ（Ｃonstant Ａir  Ｖolume:定風量装置）２２を設けるとともに、清浄空気を住戸１の室内の換気設備の動作状態に応じてＶＡＶ２１を制御する制御盤２０を設ける。
【００２１】
ＶＡＶ２１は、住戸１の室内に配設された各種、各部の換気扇の発停状態、ノッチ切り換えに伴う排気風量の変動など、換気設備の動作状態に応じ、ベランダ２の開放居住空間全体を清浄空気により陽圧が維持されるように風量を変えるものであり、その制御を行うのが制御盤２０である。
【００２２】
そのため、制御盤２０は、例えば図１に示すように住戸１の室内配設された台所用換気扇２３、浴室換気扇２４、便所換気扇２６、その他の換気扇２５の発停信号やノッチ切り換え信号などを入力して、換気扇が起動されて戸外への排気量が増えるときは風量を増やすようにＶＡＶ２１を制御する。
【００２３】
ＣＡＶ２２は、生外気を膜状に噴射する膜状空気吹き出し口１４に常に一定風量を供給することにより、開放居住空間の開口部を一定風量のエアカーテンで塞ぐようにするものである。なお、図１に示す実施形態では、全ての膜状空気吹き出し口１４にファンユニット１２からＣＡＶ２２を通して給気されているのではなく、膜状空気吹き出し口１４の一部はＣＡＶ２２を通さずファンユニット１２から給気されている。
【００２４】
勿論、このように一部は、ＣＡＶ２２を通し、一部はＣＡＶ２２を通さないようにしてもよい。本実施形態によれば、ＶＡＶ２１によりベランダ２の開放居住空間全体を清浄空気により陽圧が維持されるように風量を変えるので、隣接住戸のベランダ等からの花粉等の侵入を遮断（緩和）することができる。
【００２５】
なお、本発明は、上記実施の形態に限定されるものではなく、種々の変形が可能である。例えば上記実施の形態では、マンションなどの複数階からなる建物に設けられたベランダの例を示し説明したが、開放居住空間として、所謂戸建ての建物に設けられたベランダにも同様に適用できることは勿論、天井面と床面と側面に囲まれ１面（正面）が開放された縁側等にも同様に適用できることはいうまでもない。また、侵入を防止する対象として、花粉だけでなく、粉塵、煤煙等、空気の流れと共に飛来するものの侵入防止や、異臭の侵入防止にも用いることができる。制御盤には、換気扇の発停信号やノッチ切り換え信号などを入力してＶＡＶを制御するだけでなく、花粉や煤塵など、外気からの有害物質の影響が居住者に及ぼす程度に至らないと判断される場合など、居住者の判断でシステムを停止させることができるように、全システム発停スイッチを付設してもよい。
【符号の説明】
【００２６】
１…住戸、２…ベランダ、３…腰壁、４…隔壁、５…出入口、１１…給気ガラリ、１２…ファンユニット、１３…フィルタユニット、１４…膜状空気吹き出し口、１５…清浄空気吹き出し口、１６…換気レジスタ、１７…床面、１８…天井面、２０…制御盤、２１…ＶＡＶ、２２…ＣＡＶ、２３…台所用換気扇、２４…浴室換気扇、２５…その他の換気扇、２６…便所換気扇
【図１】
2010078306.tif 000003
【図２】
2010078306.tif 000004
【図３】
2010078306.tif 000005